(57)【特許請求の範囲】
【請求項１】
挿入口に挿入された光ディスクを本体内部に取り込むローディング手段と、
前記ローディング手段が本体内部に取り込んだ光ディスクに記録されているデータを読み取り、再生する再生手段と、を備えた光ディスク装置において、
装置本体に対する光ディスクの挿入方向を示すガイド映像を出力するガイド映像出力手段と、
前記ローディング手段が前記挿入口に挿入された光ディスクを本体内部に取り込んだときに、この光ディスクが本体に対して表裏反対向きに挿入されていないかどうかを判定する判定手段と、
前記判定手段により、光ディスクが装置本体に対して表裏反対向きに挿入されたと判定された回数が予め定められた第１の条件を満足したときにオンされ、光ディスクが本体に対して適正な向きに挿入されたと判定された回数が予め定められた第２の条件を満足したときにオフされるガイドフラグを記憶する記憶手段と、
前記挿入口に光ディスクが挿入されたときに、前記記憶手段が記憶するガイドフラグがオンであれば、前記ローディング手段がこの光ディスクを本体内部に取り込むのを一時的に制限し、前記ガイド映像出力手段に対してガイド映像の出力を指示し、その後、前記挿入口に挿入されている光ディスクの向きについての確認入力があれば、前記ローディング手段が前記挿入口に挿入されている光ディスクを本体内部に取り込むのを許可する確認要求手段と、を備え、
さらに、前記確認要求手段は、前記判定手段が本体内部に取り込んだ光ディスクが表裏反対向きに挿入されていると判定したとき、前記ガイド映像出力手段に対して前記ガイド映像の出力を指示する手段であるとともに、前記ガイドフラグのオン／オフ状態に関係なく、予め定められたタイミングで、前記ガイド映像出力手段に対してガイド映像の出力を指示する手段である光ディスク装置。
【請求項２】
挿入口に挿入された光ディスクを本体内部に取り込むローディング手段と、
前記ローディング手段が本体内部に取り込んだ光ディスクに記録されているデータを読み取り、再生する再生手段と、を備えた光ディスク装置において、
装置本体に対する光ディスクの挿入方向を示すガイド映像を出力するガイド映像出力手段と、
前記ローディング手段が前記挿入口に挿入された光ディスクを本体内部に取り込んだときに、この光ディスクが本体に対して表裏反対向きに挿入されていないかどうかを判定する判定手段と、
前記判定手段により、光ディスクが装置本体に対して表裏反対向きに挿入されたと判定された回数が予め定められた第１の条件を満足したときにオンされ、光ディスクが本体に対して適正な向きに挿入されたと判定された回数が予め定められた第２の条件を満足したときにオフされるガイドフラグを記憶する記憶手段と、
前記挿入口に光ディスクが挿入されたときに、前記記憶手段が記憶するガイドフラグがオンであれば、前記ローディング手段がこの光ディスクを本体内部に取り込むのを一時的に制限し、前記ガイド映像出力手段に対してガイド映像の出力を指示する確認要求手段と、を備えた光ディスク装置。
【請求項３】
前記確認要求手段は、前記ガイド映像出力手段に対してガイド映像の出力を指示した後に、前記挿入口に挿入されている光ディスクの向きについての確認入力があれば、前記ローディング手段が前記挿入口に挿入されている光ディスクを本体内部に取り込むのを許可する手段である請求項２に記載の光ディスク装置。
【請求項４】
前記確認要求手段は、前記判定手段が本体内部に取り込んだ光ディスクが表裏反対向きに挿入されていると判定したとき、前記ガイド映像出力手段に対して前記ガイド映像の出力を指示する手段である請求項２または３に記載の光ディスク装置。
【請求項５】
前記確認要求手段は、前記ガイドフラグのオン／オフ状態に関係なく、予め定められたタイミングで、前記ガイド映像出力手段に対してガイド映像の出力を指示する手段である請求項２〜４のいずれかに記載の光ディスク装置。
【発明の詳細な説明】
【技術分野】
【０００１】
この発明は、ＣＤやＤＶＤ等の光ディスクに記録されている番組等のコンテンツを再生する光ディスク装置に関し、特に挿入口に挿入された光ディスクを掴んでターンテーブルにセットする位置まで取り込むスロットインモデルの光ディスク装置に関する。
【背景技術】
【０００２】
従来、ＣＤやＤＶＤ等の光ディスクに記録されている番組等のコンテンツのデータを読み取り、このデータに基づく再生映像や再生音声を出力する（コンテンツを再生する）光ディスク装置が広く一般に普及している。光ディスク装置は、周知のように、ターンテーブルにセットした光ディスクを回転させ、この回転させている光ディスクの記録面にレーザ光を照射し、その反射光を検出することで、この光ディスクに記録されているデータを読み取る。従来の光ディスク装置には、本体に対して移動自在に設けたトレイを利用して光ディスクをターンテーブルにセットする位置（以下、セット位置と言う。）まで搬送するトレイモデルと、挿入口に挿入された光ディスクを掴んでゼット位置まで搬送するスロットインモデルとがある。
【０００３】
また、トレイモデルの光ディスク装置では、トレイにおける光ディスクの載置位置が暗い場所（部屋）でも分かるように、トレイの光ディスクの載置位置やその周辺に畜光材を塗布し、光源からの光照射により、このトレイに塗布した畜光材を発光させることが提案されている（特許文献１参照）。この構成では、暗い場所でも、畜光材の発光により、トレイにおける光ディスクの載置位置や、トレイに載置されている光ディスクを確認することができ、トレイに対する光ディスクのセットや、光ディスクの取り出しがスムーズに行える。
【特許文献１】特開２００３−１６７６９号公報
【発明の開示】
【発明が解決しようとする課題】
【０００４】
しかしながら、スロットインモデルの光ディスク装置では、光ディスクが表裏反対向きに挿入されることが多いという問題がある。トレイモデルの光ディスク装置は、その殆どが、光ディスクの記録面をトレイの載置面に対向させて載置する構造であるので、光ディスクが表裏反対向きにトレイに載置されることは殆どなかった。一方、スロットインモデルの光ディスク装置は、光ディスクを挿入する挿入口が機種によって横長のものや、縦長のものがあり、また挿入口が設けられている位置も本体正面や、側面、上面等様々であり、さらには挿入口に挿入する光ディスクの向きも機種毎に決められていることから、ユーザが勘違いして光ディスクを表裏反対向きに挿入してしまうことがあり、光ディスクが表裏反対向きに挿入されるという問題が生じている。
【０００５】
このため、従来のスロットインモデルの光ディスク装置では、挿入口付近に光ディスクの向きを示すシールの貼付や、光ディスクの向きを示す刻印を施す等して、ユーザが光ディスクの挿入方向（記録面の向き）を確認できるようにしているが、このシールや刻印を確認することなく光ディスクを装置本体に挿入するユーザが多く、またシールや刻印では光ディスクの向きを記号で示していることから、この記号の意味が理解できないユーザもおり、光ディスクが装置本体に対して表裏反対向きに挿入されるのを十分に防止できていなかった。
【０００６】
なお、ユーザは、光ディスクを表裏反対向きに挿入したとき、この光ディスクを一旦取り出し、その向きを反転させて再度本体に挿入しなおすことになる。多くのユーザは、この作業を煩わしく感じ、操作性が良くないと感じている。
【０００７】
この発明の目的は、スロットインモデルにおける光ディスクの挿入方向をユーザに認識させることで、光ディスクが装置本体に対して表裏反対向きに挿入されるのを防止し、操作性を向上させた光ディスク装置を提供することにある。
【課題を解決するための手段】
【０００８】
この発明の光ディスク装置は、上記課題を解決するために以下の構成を備えている。
【０００９】
（１）挿入口に挿入された光ディスクを本体内部に取り込むローディング手段と、
前記ローディング手段が本体内部に取り込んだ光ディスクに記録されているデータを読み取り、再生する再生手段と、を備えた光ディスク装置において、
装置本体に対する光ディスクの挿入方向を示すガイド映像を出力するガイド映像出力手段と、
前記ローディング手段が前記挿入口に挿入された光ディスクを本体内部に取り込んだときに、この光ディスクが本体に対して表裏反対向きに挿入されていないかどうかを判定する判定手段と、
前記判定手段により、光ディスクが装置本体に対して表裏反対向きに挿入されたと判定された回数が予め定められた第１の条件を満足したときにオンされ、光ディスクが本体に対して適正な向きに挿入されたと判定された回数が予め定められた第２の条件を満足したときにオフされるガイドフラグを記憶する記憶手段と、
前記挿入口に光ディスクが挿入されたときに、前記記憶手段が記憶するガイドフラグがオンであれば、前記ローディング手段がこの光ディスクを本体内部に取り込むのを一時的に制限し、前記ガイド映像出力手段に対してガイド映像の出力を指示する確認要求手段と、を備えている。
【００１０】
この構成では、判定手段により、ローディング手段が本体内部に取り込んだ光ディスクが表裏反対向きに挿入されいないかどうかが判定される。判定手段により光ディスクが表裏反対向きに挿入されていると判定された回数が第１の条件を満足したとき、記憶手段に記憶するガイドフラグがオンされる。また、判定手段により光ディスクが表裏反対向きに挿入されていないと判定された回数が第２の条件を満足したとき、記憶手段に記憶するガイドフラグがオフされる。第１の条件は光ディスクが表裏反対向きに挿入される可能性が比較的高いと考えられる条件にするのが望ましい。例えば、最近１０回の判定で表裏反対向きに挿入されていると判定された回数が３回に達したときに、ガイドフラグをオンする条件とすればよい。また、第２の条件は、光ディスクが表裏反対向きに挿入される可能性が比較的低いと考えられる条件にするのが望ましい。例えば、３回や５回等、所定回数連続して光ディスクが適正な向きに挿入されたと判定されたときに、ガイドフラグをオフする条件とすればよい。
【００１１】
なお、第１の条件、および第２の条件の両方が満たされていないときには、ガイドフラグは、その時の状態を保持すればよい。
【００１２】
また、挿入口に光ディスクが挿入されたとき、確認要求手段がガイドフラグがオンしていれば、すなわち光ディスクが表裏反対向きに挿入される可能性が比較的高いと考えられるとき、ローディング手段による光ディスクの本体内部への取り込みを一時的に制限し、ガイド映像出力手段による光ディスクの挿入方向を示すガイド映像の出力を実行する。このガイド映像を出力することで、今回挿入口に挿入された光ディスクの向きが適正であるか、反対向きであるかをユーザに確認させることができる。また、この時点ではローディング手段が光ディスクを本体内部に取り込んでいないので、ユーザは挿入口に挿入した光ディスクが表裏反対向きであると気づいたときに、速やかにその向きを換えることができる。これにより、装置本体に対して光ディスクが表裏反対向きに挿入されるのを防止でき、操作性の向上が図れる。
【００１３】
なお、確認要求手段は、挿入口に光ディスクが挿入されたとき、ガイドフラグがオフしていれば、すなわちユーザが光ディスクを表裏反対向きに挿入する可能性が殆どないと考えられるときには、ガイド映像出力手段により光ディスクの挿入方向を示すガイド映像を出力することなく、ローディング手段により光ディスクを本体内部に取り込めばよい。これにより、光ディスクの挿入方向を認識しているユーザに対してまで、今回挿入口に挿入された光ディスクの向きが適正であるか、反対向きであるかを確認させることがないので、光ディスクの挿入方向を認識しているユーザの操作性を低下させることもない。
【００１４】
（２）前記確認要求手段は、前記ガイド映像出力手段に対してガイド映像の出力を指示した後に、前記挿入口に挿入されている光ディスクの向きについての確認入力があれば、前記ローディング手段が前記挿入口に挿入されている光ディスクを本体内部に取り込むのを許可する手段である。
【００１５】
この構成では、ガイド映像の出力後に、確認入力をユーザに行わせるようにしているので、光ディスクが表裏反対向きに挿入されていたときには、光ディスクを本体に取り込むまえに、略確実に適正な向きに換えさせることができる。
【００１６】
（３）前記確認要求手段は、前記判定手段が本体内部に取り込んだ光ディスクが表裏反対向きに挿入されていると判定したとき、前記ガイド映像出力手段に対して前記ガイド映像の出力を指示する手段である。
【００１７】
この構成では、ガイドフラグがオフしているときであっても、ユーザが光ディスクを表裏反対向きに挿入したときには、ガイド映像を出力し、本体に対する光ディスクの向きをユーザに再確認させることができる。
【００１８】
（４）前記確認要求手段は、前記ガイドフラグのオン／オフ状態に関係なく、予め定められたタイミングで、前記ガイド映像出力手段に対してガイド映像の出力を指示する手段である。
【００１９】
この構成では、ガイド映像を予め定められたタイミングで出力するので、適当なタイミングで光ディスクの適正な挿入方向をユーザに確認させることができる。これにより、光ディスクが装置本体に対して表裏反対向きに挿入されるのを一層確実に防止できる。
【発明の効果】
【００２０】
この発明によれば、スロットインモデルにおいて、光ディスクが装置本体に対して表裏反対向きに挿入されるのを防止でき、ユーザの操作性の向上が図れるとともに、光ディスクの挿入方向を認識しているユーザの操作性を低下させることもない。
【発明を実施するための最良の形態】
【００２１】
以下、この発明の実施形態である光ディスク装置の実施形態について説明する。
【００２２】
図１は、この発明の実施形態である光ディスク装置の主要部の構成を示すブロック図であり、図２は、同光ディスク装置の概略の外観図である。この実施形態の光ディスク装置１は、本体の動作を制御する制御部２と、挿入口３ａに挿入された光ディスク１０をターンテーブル（不図示）にセットする位置（以下、セット位置と言う。）まで搬送するローディング部３と、ローディング部３が本体内部に取り込んだ光ディスク１０に記録されている番組等のコンテンツのデータを読み取る読取部４と、読取部４が読み取ったデータに基づいてコンテンツの映像および音声を再生する再生部５と、ＯＳＤ画像を記憶するＯＳＤ画像記憶部６とＯＳＤ画像記憶部６が記憶するＯＳＤ画像を再生部５で再生されたコンテンツの映像に重ね合わせた合成画像を生成する画像合成部７と、再生部５で再生された音声をスピーカ８ａから出力する音声出力部８と、画像合成部７で生成された合成画像を表示器９ａに表示させる映像出力部９と、を備えている。この実施形態の光ディスク装置１は、図２に示すように、表示器９ａの後ろ側の上面に挿入口３ａを横長に設けている。光ディスク１０は、記録面を手前（図２における正面側）にして上方から挿入する。
【００２３】
ローディング部３は、光ディスク１０の挿入方向に並べられた２つのセンサを有している。この２つのセンサは、光ディスク１０の有無を検知するセンサであり、挿入口３ａに近いほうが所謂インセンサであり、挿入口３ａから遠いほうが所謂アウトセンサである。インセンサ、およびアウトセンサがともに光ディスク１０を検知していないオフ状態であるとき、本体に光ディスク１０がセットされていないと判定する。これら２つのセンサがオフ状態から、インセンサが光ディスク１０を検知しているオン状態に変化すると（この時点ではアウトセンサはオフ状態である。）、光ディスク１０が挿入口３ａに挿入されたと判断する。ローディング部３は、挿入口３ａから挿入された光ディスク１０を掴んで、本体内部のセット位置まで搬送する。ここで言うセット位置は、光ディスク１０をターンテーブルにセットする位置であり、このとき光ディスク１０は全体が装置本体内に位置する。また、光ディスク１０がセット位置にあるとき、インセンサおよびアウトセンサはともにオンしている。また、ローディング部３は、セット位置の光ディスク１０を挿入口３ａ側に搬送し、排出するイジェクト処理も行う。このイジェクト処理では、アウトセンサがオフする位置まで光ディスク１０を搬送する。このとき、インセンサはオンしており、光ディスク１０の一部が挿入口３ａから上方に突出している。ユーザは、挿入口３ａから突出している部分を持って、この光ディスク１０を装置本体から取り出すことができる。ユーザが光ディスク１０を挿入口３ａから取り出すと、インセンサもオフする。
【００２４】
なお、光ディスク装置１は、イジェクト処理後に、光ディスク１０が挿入口３ａから抜き取られることなく（インセンサがオフすることなく）、この光ディスク１０が本体に挿入する向きに押され、アウトセンサがオンすると、光ディスク１０が装置本体に挿入されたと判断する。
【００２５】
読取部４は、公知のピックアップヘッドを有し、ターンテーブルにセットし回転されている光ディスク１０にレーザ光を照射し、その反射光を検出することにより、この光ディスク１０に記録されている番組等のコンテンツのデータを読み取る。再生部５は、読取部４で読み取ったデータを、映像データと音声データとに分離するとともに、ここで分離した映像データおよび音声データをデコードし、映像および音声を再生する。ＯＳＤ画像記憶部６には、挿入口３ａにおける光ディスク１０の挿入方向を示すガイド映像等が記憶されている。画像合成部７は、ＯＳＤ画像記憶部６から読み出したＯＳＤ画像を、再生部５で再生されたコンテンツの映像に重ね合わせた合成画像を生成する。また、画像合成部７は、再生部５で再生された映像を合成画像として出力することもあれば、ＯＳＤ画像記憶部６から読み出したＯＳＤ画像を合成画像として出力することもある。音声出力部８は、再生部５で再生された音声に基づく音声信号をスピーカ８ａに入力し、スピーカ８ａから再生音声を出力する。映像出力部９は画像合成部７から出力された合成画像に基づく映像信号を表示器９ａに入力し、表示器９ａで合成画像を表示する。
【００２６】
さらに、制御部２は、ユーザが装置本体に対して光ディスク１０を表裏反対向きに挿入する可能性が高いか、反対に低いかを示すガイドフラグ記憶している。この実施形態では、ガイドフラグがオンであるとき、ユーザが装置本体に対して光ディスク１０を表裏反対向きに挿入する可能性が高く、ガイドフラグがオフであるとき、ユーザが装置本体に対して光ディスク１０を表裏反対向きに挿入する可能性が低い。また、制御部２は、光ディスク１０を本体に取り込む毎に、この取り込んだ光ディスク１０が適正な向きであったか、表裏反対向きであったか示す履歴情報を記憶している。この履歴情報は、例えば最近１０回分記憶している。例えば、ローディング部３が光ディスク１０をセット位置に取り込んだときに、今回取り込んだ光ディスク１０が適正な向きであるか、表裏反対向きであるかを判断し、その判断結果を履歴情報として記憶する。このとき、１１回前に取り込んだ光ディスク１０についての履歴情報を削除する。
【００２７】
上述したように、ガイドフラグは、ユーザが光ディスク１０を表裏反対向きに挿入する可能性が高いと考えられるときにオンされ、反対に光ディスク１０を表裏反対向きに挿入する可能性が低いと考えられるときにオフされる。この実施形態では、装置本体に光ディスク１０が挿入された最近１０回について、光ディスク１０が表裏反対向きに挿入された回数が予め定めた第１の回数、例えば３回、に達したときにガイドフラグをオンする。すなわち、ユーザが光ディスク１０を表裏反対向きに挿入した頻度が高いときに、ガイドフラグをオンする。また、光ディスク１０が予め定めた第２の回数、例えば５回、連続して適正な向きに挿入されたときに、ガイドフラグをオフする。すなわち、ユーザが光ディスク１０を適正な向きに挿入した頻度が高いときに、ガイドフラグをオフする。ガイドフラグをオンする条件が、この発明で言う第１の条件に相当し、ガイドフラグをオフする条件が、この発明で言う第２の条件に相当する。
【００２８】
なお、第１の条件、または第２の条件の両方が満足されないときには、ガイドフラグはその時の状態が保持される。
【００２９】
次に、この発明の実施形態である光ディスク装置１における、光ディスク１０のローディング処理について説明する。図３は、このローディング処理を示すフローチャートである。光ディスク装置１は、挿入口３ａにおいて装置本体に光ディスク１０が挿入されるのを待っている（ｓ１）。ｓ１では、ローディング部３のインセンサが光ディスク１０を検知し、オンするのを待っている。光ディスク装置１は、ｓ１で挿入口３ａにおいて装置本体に光ディスク１０が挿入されたと判定すると、この時点で制御部２に記憶しているガイドフラグがオンであるかオフであるかを判定する（ｓ２）。
【００３０】
光ディスク装置１は、ｓ２でガイドフラグがオンであると判定すると、すなわちユーザが光ディスク１０を表裏反対向きに挿入する可能性が高いと判定すると、ローディング部３が今回挿入口３ａに挿入された光ディスク１０をセット位置に取り込むのを制限し、すなわちローディング部３による光ディスク１０の取り込みを開始せずに、ＯＳＤ画像記憶部６に記憶している、挿入口３ａにおける光ディスク１０の挿入方向を示すガイド映像を読み出し、このガイド映像を表示器９ａに表示するガイド映像の出力処理を行う（ｓ３）。ｓ３では、画像合成部７が、ＯＳＤ画像記憶部６から読み出したガイド映像を合成画像として出力する。ｓ３で出力されるガイド映像は、例えば図４に示す映像であり、光ディスク１０の記録面を正面（表示器９ａの画面と同じ向き）にして、挿入口３ａに挿入することをユーザに認識させる映像である。このガイド映像は、静止画であってもよいし、数秒程度（２〜３秒程度）の動画であってもよい。光ディスク装置１は、ｓ３でガイド映像を出力すると、今回挿入口３ａに挿入された光ディスク１０の向きが適正であることの確認入力を待つ（ｓ４）。
【００３１】
今回挿入口３ａに挿入された光ディスク１０は、この時点では、ローディング部３が本体に取り込んでいない。ユーザは、ｓ３で表示器９ａに表示されたガイド映像をみて、光ディスク１０を表裏反対向きに挿入していたことに気がついた場合、速やかにこの光ディスク１０を挿入口３ａから取り出し、適正な向きに換えて再度挿入口３ａに挿入することができる。また、ユーザは、今回挿入口３ａに挿入した光ディスク１０が適正な向きであることを確認すると、装置本体に対して確認入力を行う。この確認入力にかかる操作は、図示していない操作部、またはリモコン装置において行われる。
【００３２】
光ディスク装置１は、ｓ４で確認入力があったと判定すると、挿入口３ａに挿入されている光ディスク１０をローディング部３により、セット位置まで取り込む（ｓ５）。また、光ディスク装置１は、ｓ２でガイドフラグがオフであると判定すると、上述したｓ２〜ｓ４の処理を実行することなく、ｓ５にかかる、挿入口３ａに挿入されている光ディスク１０をローディング部３によりセット位置まで取り込む処理を実行する。
【００３３】
光ディスク装置１は、セット位置に取り込んだ光ディスク１０をターンテーブルにセットし、この光ディスク１０のサイズ、および種別の判別を行う（ｓ６）。光ディスク装置１は、サイズおよび種別の両方が判別できなかったと判定すると、今回セット位置に取り込んだ光ディスク１０が表裏反対向きに挿入されていると判断し、今回取り込んだ光ディスク１０をイジェクトする（ｓ７、ｓ８）。また、このときに、ＯＳＤ画像記憶部６が記憶するガイド映像を表示器９ａに表示するガイド映像の出力処理を行う（ｓ９）。このｓ９にかかる処理は、上述したｓ３にかかる処理と同じである。
【００３４】
さらに、光ディスク装置１は、今回光ディスク１０が表裏反対向きに挿入されたことを示す履歴情報を制御部２に記憶し（ｓ１０）、ガイドフラグをオンする条件（第１の条件）を満足するかどうかを判定する（ｓ１１）。光ディスク装置１は、ｓ１１で第１の条件を満足すると判定すると、制御部２が記憶するガイドフラグをオンし（ｓ１２）、ｓ１に戻る。反対に、ｓ１１で第１の条件を満足しないと判定すると、ガイドフラグの状態をその時の状態に保持し（ｓ１３）、ｓ１に戻る。
【００３５】
なお、ｓ１２では、ガイドフラグがオンであったときにも、ガイドフラグをオンにするという処理が行われるが、特にこの処理によって問題が生じることはない。
【００３６】
また、光ディスク装置１は、ｓ７でサイズおよび種別の両方が判別できたと判定すると、今回セット位置に取り込んだ光ディスク１０が適正な向きに挿入されていると判断し、今回光ディスク１０が適正な向きに挿入されたことを示す履歴情報を制御部２に記憶する（ｓ１４）。そして、光ディスク装置１は、ガイドフラグをオフする条件（第２の条件）を満足するかどうかを判定する（ｓ１５）。光ディスク装置１は、ｓ１５で第２の条件を満足すると判定すると、制御部２が記憶するガイドフラグをオフする（ｓ１６）。反対に、ｓ１５で第２の条件を満足しないと判定すると、ガイドフラグの状態をその時の状態に保持する（ｓ１７）。
【００３７】
なお、ｓ１６では、ガイドフラグがオフであったときにも、ガイドフラグをオフにするという処理が行われるが、特にこの処理によって問題が生じることはない。
【００３８】
光ディスク装置１は、ｓ１６、またはｓ１７にかかる処理を実行すると、この光ディスク１０のリードインに記録されているＴＯＣ等の管理情報を読み取る（ｓ１８）。光ディスク装置１は、ｓ１８で管理情報が読み取ることができなければ、この光ディスク１０が不良であると判定し、今回取り込んだ光ディスク１０をイジェクトする（ｓ１９、ｓ２０）。ｓ２０では、傷等が原因で記録されているデータを読み取ることができない光ディスク１０としてイジェクトしており、表裏反対向きに挿入された光ディスク１０としてイジェクトしているわけではない。光ディスク装置１は、  ｓ１８で管理情報が読み取ることができると、ローディング処理を終了し、この光ディスク１０に記録されているコンテンツの再生等にかかる入力を待って、コンテンツを再生する。
【００３９】
このように、この実施形態の光ディスク装置１は、ユーザが光ディスク１０を表裏反対向きに挿入する可能性が高いと考えられるとき、具体的には光ディスク１０を表裏反対向きに挿入する頻度がある程度まで増加しているとき、挿入口３ａに光ディスク１０が挿入されると、ガイド映像を出力して光ディスク１０の向きをユーザに確認させる。これにより、挿入口３ａに挿入する光ディスク１０の向きをユーザに確実に認識させることができる。また、このガイド映像を出力するときには、ローディング部３が挿入口３ａに挿入された光ディスク１０を本体に取り込むのを一時的に制限し、取り込まないようにしているので、光ディスク１０を表裏反対向きに挿入していることに気がついたユーザが、速やかに光ディスク１０を適正な向きに換えることができる。また、表裏反対向きに挿入された光ディスク１０を本体に取り込んだときにも、ガイド映像を出力する構成としているので、ユーザがたまたま間違ったときにも、ユーザに光ディスク１０の向きを再確認させることができる。さらに、ユーザが光ディスク１０を表裏反対向きに挿入する可能性が低いと考えられるときには、挿入口３ａに光ディスク１０が挿入されると、ローディング部３がこの光ディスク１０を直ぐに本体に取り込むので、光ディスク１０を挿入する向きを認識しているユーザの操作性を低下させることもない。
【００４０】
なお、上記実施形態では、表示器９ａの背面上方に光ディスク１０の挿入口３ａが設けられている場合を例にして本願発明を説明したが、表示器９ａの背面の右側面または左側面に光ディスク１０の挿入口３ａが設けられていてもよいし、また、表示器９ａを備えていないスロットインモデルの光ディスク装置であっても、本願発明を適用することができる。
【００４１】
また、上記実施形態では、ガイドフラグの状態に応じて、挿入口３ａに挿入された光ディスク１０をローディング部３が取り込むのを制限するかどうかを設定するとしたが、例えば、ＡＣコードが接続されたときには、無条件にガイド映像を表示するようにしてもよい。このようにすれば、光ディスク装置１を初めて使用するユーザに、最初にガイド映像を見せて、光ディスク１０を挿入する向きを確認させることができる。
【００４２】
また、予め定めた入力が行われたときに、ガイド映像を表示するようにしてもよい。このようにすれば、ユーザは、光ディスク１０を挿入する向きを確認したいときに、この予め定められた入力操作を行うことで、ガイド映像を見て、光ディスク１０を挿入する向きを確認することができる。
【００４３】
また、上記実施形態では、再生装置を例にして本願発明を説明をしたが、記録装置であっても、本願発明を適用することができる。
【図面の簡単な説明】
【００４４】
【図１】この発明の実施形態である光ディスク装置の主要部の構成を示すブロック図である。
【図２】この発明の実施形態である光ディスク装置の概略の外観図である。
【図３】この発明の実施形態である光ディスク装置におけるローディング処理を示すフローチャートである。
【図４】この発明の実施形態である光ディスク装置におけるガイド映像を示す図である。
【符号の説明】
【００４５】
１−光ディスク装置
２−制御部
３−ローディング部
３ａ−挿入口
４−読取部
５−再生部
６−ＯＳＤ画像記憶部
７−画像合成部
８−音声出力部
８ａ−スピーカ
９−映像出力部
９ａ−表示器
１０−光ディスク
【図１】
0004457982.tif 000002
【図２】
0004457982.tif 000003
【図３】
0004457982.tif 000004
【図４】
0004457982.tif 000005